(57)【要約】【課題】「郵便葉書」、「ＰＯＳＴ  ＣＡＲＤ」等の文字を葉書本体に表示することによって、郵便法の要請に合致させ、しかも連続する３面の表示面に絵模様、図柄、文字等を表示するのに支障を生じさせない葉書を提供することを課題とする。【解決手段】「郵便葉書」、「ＰＯＳＴ  ＣＡＲＤ」等の文字を表面に記載した葉書本体と、葉書本体に剥離可能に接着される表面添付物及び裏面添付物とからなり、表面添付物及び裏面添付物が葉書本体に接着された状態において、葉書本体に表示された文字が表面添付物に隠蔽されることなく読みとれるように形成された葉書において、葉書本体が裏面添付物の一側縁側に連接されているとともに、表面添付物が裏面添付物の他側縁側に連接され、表面添付物を葉書本体から剥離した際に見開き２面の情報表示面が裸出され、且つ葉書本体を裏面添付物から剥離した際に前記文字が存在することのない見開き３面の情報表示面が裸出されるように、葉書本体、表面添付物、及び裏面添付物にそれぞれ情報表示面が形成されていることを特徴とする。【選択図】    図１
2004167994.tif 000002
【特許請求の範囲】
【請求項１】
「郵便葉書」、「ＰＯＳＴ  ＣＡＲＤ」等の文字（９）  を表面に記載した葉書本体（１１）と、該葉書本体（１１）に剥離可能に接着される表面添付物（１２）及び裏面添付物（１３）とからなり、該表面添付物（１２）及び裏面添付物（１３）が前記葉書本体（１１）に接着された状態において、前記葉書本体（１１）に表示された文字（９）  が前記表面添付物に隠蔽されることなく読みとれるように形成された葉書において、前記葉書本体（１１）が前記裏面添付物（１３）の一側縁側に連接されているとともに、前記表面添付物（１２）が前記裏面添付物（１３）の他側縁側に連接され、前記表面添付物（１２）を前記葉書本体（１１）から剥離した際に見開き２面の情報表示面が裸出され、且つ前記葉書本体（１１）を前記裏面添付物（１３）から剥離した際に前記「郵便葉書」、「ＰＯＳＴ  ＣＡＲＤ」等の文字（９）  が存在することのない見開き３面の情報表示面が裸出されるように、前記葉書本体（１１）、表面添付物（１２）、及び裏面添付物（１３）にそれぞれ情報表示面が形成されていることを特徴とする葉書。
【発明の詳細な説明】
【０００１】
【発明の属する技術分野】
本発明は、葉書、特に親展情報を隠蔽した状態で郵送される葉書に関するものである。
【０００２】
【従来の技術及び発明が解決しようとする課題】
従来より、親展情報を郵便葉書で郵送するために、親展情報部分に、剥離可能なシールを添付物として貼着して親展情報を隠蔽した葉書や、葉書本体の側縁側に、葉書本体と同じ大きさの添付用紙を２つ折り可能に連接し、該葉書本体と添付用紙とを剥離可能に貼着し、その貼着面に表示された隠蔽情報を隠蔽する構成とされた葉書が用いられている。
【０００３】
しかし、このようなシールで隠蔽情報を隠蔽する葉書では、隠蔽される情報は葉書本体の１面のみにしか表示することができず、また２つ折り可能な葉書であっても、貼付面である片面２面が隠蔽されるにすぎなかった。
【０００４】
そこで、隠蔽すべき情報量を増大させるために、下記特許文献１及び２のように３つ折りの葉書の出願もなされているが、このような葉書は、原稿の郵便法の適用を受けられないという問題がある。
【０００５】
【特許文献１】
特開平４−５９３９５  号公報
【特許文献２】
特開平３−１０８５９４号公報
【０００６】
すなわち、現行郵便法では、葉書として郵送しうるための寸法や重量の面での条件が課せられている他、それ以外の条件も課せられている。より具体的に説明すると、現行郵便法の郵便規則第１３条によれば、紙質及び厚さが官製葉書と同等以上のものであること、重量が２ｇ以上６ｇ以内であること等の規定があり、さらに同規則第１６条によれば、郵便葉書に薄い紙又はこれに類する添付物を上記第１３条の規定に触れず、且つ容易にはげないように全面を密着させたもので、上記添付物が「郵便葉書とこれに添付したものとの間にあり、且つこれらから分離して使用する物を添付したもの」に該当しないことが要求されている。
【０００７】
上記のようなシールで隠蔽情報を隠蔽する葉書では、シールが上記郵便規則第１６条の添付物に相当し、また上記２つ折りの葉書では、葉書本体の側縁側に連接された添付用紙が上記郵便規則第１６条の添付物に相当するので同規則第１６条の規定の要件を満たすが、３つ折りの葉書の場合、葉書本体に連接する添付物に、さらに別の添付物を連接して各々の用紙を剥離可能としているため、同１６条の規定の要件を満たさないとの解釈がなされていた。
【０００８】
そこで、このような郵便法を意識して、下記特許文献３のような出願がなされている。
【０００９】
【特許文献３】
実用新案登録第２６０７６９１  号公報
【００１０】
この特許文献３は、「郵便葉書」、「ＰＯＳＴ  ＣＡＲＤ」等の葉書表示文字を表面に記載した葉書本体と、該葉書本体の表裏両側に折り畳み可能に連設されて該葉書本体に剥離可能に接着される表面添付物及び裏面添付物とからなり、且つ該表面添付物及び裏面添付物が葉書本体に接着された状態において、葉書本体に表示された葉書表示文字が表面添付物に隠蔽されることなく読みとれるように形成されたものである。
【００１１】
この特許文献３における「「郵便葉書」、「ＰＯＳＴ  ＣＡＲＤ」等の葉書表示文字を表面に記載した葉書本体」は、上記郵便規則の「郵便葉書」に該当し、特許文献３における「表面添付物及び裏面添付物」は、上記郵便規則の「薄い紙又はこれに類する添付物」に該当する。
そして、平成７年４月５日発行の「近畿郵政局報」には、３つ折り葉書の場合、上記特許文献３のような「郵便葉書」、「ＰＯＳＴ  ＣＡＲＤ」等の文字を表面添付物に隠蔽されることなく読みとれるようにすることが郵便規則に合致させるために必要であることも明記されている。
【００１２】
このような特許文献３に表示された葉書は、展開した状態において、宛先、宛名表示欄を除く計５面に情報を表示することができ、展開した状態の一面側においては、図１４に示すように、表面添付物１２ｂ  に宛先、宛名表示欄２ｂが裸出され、葉書本体１１ｂ  と裏面添付物１３ｂ  の２面に情報表示欄４ｂが裸出される。また、展開した状態の他面側においては、図１５に示すように、表面添付物１２ｂ  、葉書本体１１ｂ  、裏面添付物１３ｂ  の３面すべてに情報表示欄４ｂが裸出されることとなる。
【００１３】
しかし、３面すべてに情報表示欄４ｂが裸出される展開状態他面側においては、「郵便葉書」、「ＰＯＳＴ  ＣＡＲＤ」等の文字９ｂが表示された葉書本体１１ｂ  の部分は、他の２面間の中間に位置することとなり、その結果、「郵便葉書」、「ＰＯＳＴ  ＣＡＲＤ」等の文字９ｂが表示された部分が、図１５に示すように葉書本体１１ｂ  、裏面添付物１３ｂ  の境界部分に存在することとなる。
【００１４】
この場合、展開された３面の情報表示欄４ｂに別々の絵模様、図柄、文字等の情報を表示する場合には支障はないが、３面の全面に連続する絵模様、図柄、文字等の情報を表示する場合には、上記「郵便葉書」、「ＰＯＳＴ  ＣＡＲＤ」等の文字９ｂが表示された部分が、連続する絵模様、図柄、文字等を遮断することとなる。
【００１５】
従って、上記特許文献３に記載された葉書には、そもそもこのような連続する絵模様、図柄、文字等の情報を、連続する３面の表示面に表示するようなことは到底できなかったのである。
【００１６】
本発明は、このような問題点を解決するためになされたもので、上記のような「郵便葉書」、「ＰＯＳＴ  ＣＡＲＤ」等の文字を葉書本体に表示することによって、上記のような郵便法の要請に合致させ、しかも連続する３面の表示面に絵模様、図柄、文字等を表示するのに支障を生じさせないことを課題とするものである。
【００１７】
【課題を解決するための手段】
本発明は、このような課題を解決するためになされたもので、その課題を解決するための手段は、「郵便葉書」、「ＰＯＳＴ  ＣＡＲＤ」等の文字９を表面に記載した葉書本体１１と、該葉書本体１１に剥離可能に接着される表面添付物１２及び裏面添付物１３とからなり、該表面添付物１２及び裏面添付物１３が前記葉書本体１１に接着された状態において、前記葉書本体１１に表示された文字９が前記表面添付物１２に隠蔽されることなく読みとれるように形成された葉書において、前記葉書本体１１が前記裏面添付物１３の一側縁側に連接されているとともに、前記表面添付物１２が前記裏面添付物１３の他側縁側に連接され、前記表面添付物１２を前記葉書本体１１から剥離した際に見開き２面の情報表示面が裸出され、且つ前記葉書本体１１を前記裏面添付物１３から剥離した際に前記「郵便葉書」、「ＰＯＳＴ  ＣＡＲＤ」等の文字９が存在することのない見開き３面の情報表示面が裸出されるように、前記葉書本体１１、表面添付物１２、及び裏面添付物１３にそれぞれ情報表示面が形成されていることである。
【００１８】
【発明の実施の形態】
以下、本発明の実施形態について図面に従って説明する。
【００１９】
（実施形態１）
本実施形態の葉書１は全体が紙製のものであり、図１乃至図６に示すように、葉書大の大きさからなる３枚の第１シート片１ａ，第２シート片１ｂ，第３シート片１ｃが横に連設して構成されている。
【００２０】
第１シート片１ａの表面側には図６に示すように受信者の宛先，宛名表示欄２が設けられ、第２シート片１ｂの表面側には送信者の会社名、商品名等の宣伝広告表示欄３が設けられ、第３シート片１ｃの表面側には情報表示欄４が設けられている。
【００２１】
また、第１シート片１ａの裏面側、第２シート片１ｂの裏面側、及び第３シート片１ｃの裏面側には、図５に示すように情報表示欄４が設けられている。
【００２２】
そして、第２シート片１ｂ及び第３シート片１ｃは、情報表示欄４，４が内面側となるように折曲部５を介して折り曲げられ、且つ第２シート片１ｂと第３シート片１ｃ間は、熱接着性の接着剤６を介して剥離可能に接着されている。
【００２３】
さらに第１シート片１ａと第３シート片１ｃとは、情報表示欄４，４が内面側となるように折曲部７を介して折り曲げられてなるとともに、その両シート片１ａ，１ｃ  間も熱接着性の接着剤６を介して剥離可能に接着されている。
【００２４】
第２シート片１ｂと第３シート片１ｃとは同幅に形成されているが、第１シート片１ａの幅は、第２シート片１ｂ及び第３シート片１ｃの幅よりも狭く形成されている。
【００２５】
そして、第３シート片１ｃが第１シート片１ａよりも広くはみ出した部分８には、「ＰＯＳＴ  ＣＡＲＤ」の文字９が表示されている。この結果、第３シート片１ｃのはみ出した部分８に表示された文字９は、図１に示すように第１シート片１ａの前面側に裸出した状態となる。
【００２６】
このような構成からなる葉書１は、一般の葉書と同様に第１シート片１ａの宛先・宛名表示欄２に受信者の宛先宛名を記載して郵送されるが、情報表示欄４，４が形成された第１シート片１ａと第３シート片１ｃ間、並びに情報表示欄４，４が形成された第２シート片１ｂと第３シート片１ｃ間がそれぞれ剥離可能な接着剤６を介して接着されているため、計４面の情報表示欄４，…が隠蔽された状態で送信されることとなる。
【００２７】
次に、上記のような葉書１を受信した受信者は、図４に示すように第１シート片１ａと第３シート片１ｃ間を剥離する。これによって情報表示欄４，４が裸出され、情報表示欄４，４に表示された情報を判読することが可能となる。
【００２８】
この場合において、第１シート片１ａと第３シート片１ｃとの情報表示欄４，４に表示された情報は、第１シート片１ａと第３シート片１ｃとの双方に跨がって連続する絵模様、図柄等として表示されることとなるが、上記のように「ＰＯＳＴ  ＣＡＲＤ」の文字９が表示された部分８は、図４に示すように、第３シート片１ｃにおける第１シート片１ａと隣接する側と反対側に位置しているため、第１シート片１ａと第３シート片１ｃとの双方に跨がって連続して表示されている絵模様、図柄等の情報が上記「ＰＯＳＴ  ＣＡＲＤ」の文字９に遮断されることもない。
【００２９】
次に、図５及び図６に示すように、第２シート片１ｂと第３シート片１ｃ間を剥離する。これによって第２シート片１ｂと第３シート片１ｃに裸出された情報表示欄４，４が裸出され、情報表示欄４，４に表示された情報を判読することが可能となる。
【００３０】
この場合、第１シート片１ａ、第２シート片１ｂ、第３シート片１ｃの３つのシート片がすべて展開された状態となるが、第１シート片１ａ、第２シート片１ｂ、第３シート片１ｃに表示された絵模様、図柄等の情報は、３つのシート片に跨って表示されており、しかも「ＰＯＳＴ  ＣＡＲＤ」の文字９は、この３つのシート片に連続して表示された面とは反対側の面に形成されているため、これら３面に表示された情報も「ＰＯＳＴ  ＣＡＲＤ」の文字９に遮断されることがない。
【００３１】
このように、本実施形態においては、第２シート片１ｂと第３シート片１ｃとを剥離した状態の２面の情報表示面、並びに第１シート片１ａ、第２シート片１ｂ、第３シート片１ｃの３つのシート片を剥離した状態の３面の情報表示面に連続する絵模様、図柄等の情報が表示されており、その連続する絵模様、図柄等の情報が表示された面に「ＰＯＳＴ  ＣＡＲＤ」の文字９が存在しないので、その文字９によって連続する情報が遮断されることもないのである。
【００３２】
また、本実施形態においては、文字９が表示された第３シート片１ｃが葉書本体１１として扱われ、宛先，宛名表示欄２が表示された第１シート片１ａが表面側添付物１２として扱われ、宣伝広告表示部３が設けられた第２シート片１ｂが裏面側添付物１３として扱われ、しかも「ＰＯＳＴ  ＣＡＲＤ」の文字９が、第１シート片１ａに覆い隠されることなく、その全面側に裸出されるので、郵便法の規則に合致した葉書を提供することができるのである。
【００３３】
（実施形態２）
本実施形態の葉書１も、図７乃至図１２に示すように、葉書大の大きさからなる３枚の第１シート片１ａ，第２シート片１ｂ，第３シート片１ｃが横に連設して構成され、第１シート片１ａの表面側に宛先，宛名表示欄２が設けられ、第２シート片１ｂの表面側に宣伝広告表示欄３が設けられ、第３シート片１ｃの表面側には情報表示欄４が設けられているとともに、第１シート片１ａの裏面側、第２シート片１ｂの裏面側、及び第３シート片１ｃの裏面側に情報表示欄４が設けられており、このような葉書としての基本的構成は実施形態１と共通する。
【００３４】
また、第２シート片１ｂ及び第３シート片１ｃが折曲部５を介して折り曲げられて熱接着性の接着剤６を介して剥離可能に接着され、第１シート片１ａ及び第３シート片１ｃが折曲部７を介して折り曲げられて熱接着性の接着剤６を介して剥離可能に接着されている点でも実施形態１と共通する。
【００３５】
しかし、本実施形態では、図７、図１０、及び図１１に示すように、第１シート片１ａの側方に細長い窓孔１０が穿設されており、第１シート片１ａと第３シート片１ｃとを接着したときに、「ＰＯＳＴ  ＣＡＲＤ」の文字９が第１シート片１ａの窓孔１０から表面に裸出するように構成されている。
【００３６】
この点で、第３シート片１ｃが第１シート片１ａより幅広に形成され、その側方にはみ出した部分８に文字９を表示して表面側に裸出させる実施形態１の場合と相違している。
【００３７】
本実施形態では、上記のような窓孔１０から文字９を表面に裸出することができ、実施形態１のようにはみ出した部分８を形成する必要がないので、第１シート片１ａの幅は、第２シート片１ｂ及び第３シート片１ｃの幅と同幅に形成されている。
【００３８】
本実施形態においても、第２シート片１ｂと第３シート片１ｃとを剥離した状態の２面の情報表示面、並びに第１シート片１ａ、第２シート片１ｂ、第３シート片１ｃの３つのシート片を剥離した状態の３面の情報表示面に連続する絵模様、図柄等の情報が表示され、その連続する絵模様、図柄等の情報が表示された面に「ＰＯＳＴ  ＣＡＲＤ」の文字９が存在しないので、その文字９によって連続する情報が遮断されることがない。
【００３９】
また、文字９が表示された第３シート片１ｃが葉書本体１１として扱われ、宛先，宛名表示欄２が表示された第１シート片１ａが表面側添付物１２として扱われ、宣伝広告表示欄３が設けられた第２シート片１ｂが裏面側添付物１３として扱われ、しかも「ＰＯＳＴ  ＣＡＲＤ」の文字９が窓孔１０から裸出して第１シート片１ａに覆い隠されることなく前面側に裸出されるので、郵便法の規則に合致した葉書を提供することができる。
【００４０】
（実施形態３）
本実施形態においても、上記実施形態２と同様に文字９を裸出させるための窓孔１０が第１シート片１ａに形成されているが、本実施形態では図１２に示すように窓孔１０は第１シート片１ａの上部に形成されており、この点で側方に形成されている実施形態２の場合と相違する。
【００４１】
本実施形態においても各シート片を折り畳んだときに図１２に示すように文字９が窓孔１０から表面に裸出し、郵便法の規則に合致した葉書を提供することができるのである。
【００４２】
本実施形態においても、実施形態１のようなはみ出した部分８の形成が不要となるので、すべてのシート片１ａ，１ｂ，１ｃは同幅に形成されることとなる。
【００４３】
その他の構成は、上記実施形態１及び２と同様である。
【００４４】
（その他の実施形態）
尚、上記実施形態では、文字９として「ＰＯＳＴ  ＣＡＲＤ」の文字を用いたが、これに代えて「郵便葉書」の文字を用いることも可能である。
【００４５】
また、葉書本体１１に表示される文字９を裸出させる手段は、上記実施形態１のようにシート片の幅を変えてはみ出した部分８を形成し、その部分８に文字９を表示する手段、或いは実施形態２及び３のように窓孔１０を形成してその窓孔１０から文字５を裸出させる手段等問うものではない。
【００４６】
さらに、上記実施形態では、第２シート片１ｂと第３シート片１ｃとを剥離した状態の２面の情報表示面、並びに第１シート片１ａ、第２シート片１ｂ、第３シート片１ｃの３つのシート片を剥離した状態の３面の情報表示面に連続する絵模様、図柄等の情報が表示されるように構成したので、連続する絵模様、図柄等の情報が表示された面に「ＰＯＳＴ  ＣＡＲＤ」の文字９が存在せず、その文字９によって連続する情報が遮断されることがないという利点を生かすことができたが、このように第１シート片１ａ、第２シート片１ｂ、第３シート片１ｃの３つのシート片を剥離した状態の３面の情報表示面、及び第２シート片１ｂと第３シート片１ｃとを剥離した状態の２面の情報表示面に連続する絵模様、図柄等の情報が表示されるように構成することは、本発明に必須の条件ではない。
【００４７】
たとえば、図１３に示すように、第１シート片１ａ、第２シート片１ｂ、第３シート片１ｃの３つのシート片を剥離した状態において、第２シート片１ｂと第３シート片１ｃとの２面にのみ情報表示面が連続するように構成されていてもよい。
【００４８】
ただし、この場合でも、第１シート片１ａを第３シート片１ｃに対して展開した状態においては、実施形態１と同様に（図４に示す）、第２シート片１ｂと第３シート片１ｃとを剥離した状態の２面の情報表示面の情報は、連続する絵模様、図柄等の情報が表示されることとなる。
【００４９】
また、第１シート片１ａ、第２シート片１ｂ、第３シート片１ｃの３面にそれぞれ別々の情報を表示することも可能である。
【００５０】
また、上記各実施形態の接着剤６の材質は問うものではない。たとえばエチレン−酢酸ビニル共重合樹脂、エチレン−エチルアクリレート共重合樹脂、エチレン−アクリル酸共重合樹脂、エチレン−無水マレイン酸−アクリレート共重合樹脂、ポリエステル系接着性樹脂、アイオノマー、ウレタンアクリレート樹脂、変成ポリエステル樹脂、エチレン−酢酸ビニル樹脂の加水分解物、アクリル−ブタジエン共重合樹脂、スチレン−アクリル共重合樹脂、スチレン−ブタジエン共重合樹脂、アクリル−アクリロニトリル共重合樹脂、プロピレン−αオレフィン共重合樹脂、シリコン樹脂、ポリサルファイド樹脂、及びこれらの変成物等に、必要に応じて剥離性の添加剤を添加したようなものを使用することが可能である。
【００５１】
さらに、紫外線硬化性樹脂のようなものを用いることも可能である。紫外線硬化性樹脂としては、たとえばポリウレタンアクリレート樹脂を使用することができ、またこれ以外にはポリエステルアクリレート、ポリエーテルアクリレート、エポキシアクリレート等のアクリレートオリゴマーと必要によりエチレン性不飽和モノマー、光開始剤、その他添加剤よりなるものを使用することが可能である。
【００５２】
ただし、アクリレートオリゴマーとしては、ポリウレタンアクリレートのアクリレートオリゴマーがインキとの密着性が良く、剥離可能な接着性の点で特に好ましい。
ポリウレタンアクリレ−トオリゴマ−は、ポリイソシアネート、ポリオール、及びヒドロキシ含有アクリルモノマーとの反応により得られるものを使用することができる。
【００５３】
さらに、接着剤に代えて合成樹脂製フィルムを介して接着することも可能である。合成樹脂製フィルムとしては、ポリエチレン、ポリプロピレン、ポリスチレン、ポリ塩化ビニル、ポリエチレンテレフタレート、ポリアミド、ポリウレタン、ポリアクリロニトリル、メタクリル樹脂、及びこれらの共重合物、変成物等のヒートシール可能な合成樹脂を使用することが可能である。
【００５４】
さらに、本発明の葉書の用途も、ダイレクトメール用として使用することが可能である他、たとえば金融機関や企業用等の通知用として使用することも可能であり、さらには個人用として使用することも可能である。
【００５５】
従って、情報表示欄４に表示される情報も、絵模様、図柄等の他、文字等のものであってもよく、その種類は問うものではない。また、これらの情報は、印刷等によって表示されるものの他、プリンターで印字して表示することも可能である。
【００５６】
【発明の効果】
以上のように、本発明の葉書は、「郵便葉書」、「ＰＯＳＴ  ＣＡＲＤ」等の文字を表面に記載した葉書本体と、該葉書本体に剥離可能に接着される表面添付物及び裏面添付物とからなり、該表面添付物及び裏面添付物が前記葉書本体に接着された状態において、前記葉書本体に表示された文字が前記表面添付物に隠蔽されることなく読みとれるように形成された葉書において、前記葉書本体が前記裏面添付物の一側縁側に連接されているとともに、前記表面添付物が前記裏面添付物の他側縁側に連接され、前記表面添付物を前記葉書本体から剥離した際に見開き２面の情報表示面が裸出され、且つ前記葉書本体を前記裏面添付物から剥離した際に前記「郵便葉書」、「ＰＯＳＴ  ＣＡＲＤ」等の文字が存在することのない見開き３面の情報表示面が裸出されるように、前記葉書本体、表面添付物、及び裏面添付物にそれぞれ情報表示面が形成されているものであるため、「ＰＯＳＴ  ＣＡＲＤ」、「郵便葉書」等の文字を葉書本体に表示することによって、上記のような郵便法の要請に合致させることができるばかりではなく、連続する３面の表示面に絵模様、図柄、文字等の情報を表示する場合に、上記のような文字が従来のように連続する３面の途中部分に存在するようなことがないので、その文字が絵模様、図柄等の情報に支障を生じさせることがないという効果がある。
【図面の簡単な説明】
【図１】一実施形態としての葉書の正面図。
【図２】図１のＡ−Ａ線拡大断面図。
【図３】図１のＢ−Ｂ線拡大断面図。
【図４】２枚のシート片間を展開した状態の正面図。
【図５】３枚のシート片間を展開した状態の正面図。
【図６】３枚のシート片間を展開した状態の背面図。
【図７】他実施形態の葉書の正面図。
【図８】図７のＣ−Ｃ線拡大断面図。
【図９】２枚のシート片間を展開した状態の正面図。
【図１０】３枚のシート片間を展開した状態の正面図。
【図１１】３枚のシート片間を展開した状態の背面図。
【図１２】他実施形態の葉書の正面図。
【図１３】他実施形態の葉書の展開状態正面図
【図１４】従来の葉書を展開した状態の背面図。
【図１５】従来の葉書を展開した状態の正面図。
【符号の説明】
１…葉書            １ａ，１ｂ，１ｃ…シート片
４…情報表示欄      ９…文字
【図１】
2004167994.tif 000003
【図２】
2004167994.tif 000004
【図３】
2004167994.tif 000005
【図４】
2004167994.tif 000006
【図５】
2004167994.tif 000007
【図６】
2004167994.tif 000008
【図７】
2004167994.tif 000009
【図８】
2004167994.tif 000010
【図９】
2004167994.tif 000011
【図１０】
2004167994.tif 000012
【図１１】
2004167994.tif 000013
【図１２】
2004167994.tif 000014
【図１３】
2004167994.tif 000015
【図１４】
2004167994.tif 000016
【図１５】
2004167994.tif 000017